(57)【要約】    【課題】立設物を地面側に固定したアンカーボルトを介して地面に立設固定する場合において、前記アンカーボルトを地面側に固定する基礎コンクリートを造成するときに該アンカーボルトを簡単かつ確実に立設保持することができ、しかも基礎コンクリートの造成後、該基礎コンクリート上に支柱下端の取付プレートが当接する傾斜調整用のドームを造る必要がない保持部材を提供すること。    【解決手段】アンカーボルト１６を地面側に固定する基礎コンクリートを造成するときに該アンカーボルト１６を立設保持する保持部材１５であって、前記基礎コンクリートを造成する型枠上部開口を跨るように配置されるプレートからなり、該プレートには、前記アンカーボルト１６を立設保持する保持孔１５ａが形成されると共に、中央に傾斜調整用のドーム１５ｂが形成されていることを特徴とする。  【選択図】  図３
2008190164.tif 000002
【特許請求の範囲】
【請求項１】
立設物を地面側に固定したアンカーボルトを介して地面に立設固定する場合において、前記アンカーボルトを地面側に固定する基礎コンクリートを造成するときに該アンカーボルトを立設保持する保持部材であって、
前記基礎コンクリートを造成する型枠上部開口を跨るように取り付けられるプレートからなり、
該プレートには、前記アンカーボルトを立設保持する保持孔が形成されると共に、中央に傾斜調整用のドームが形成されていることを特徴とする保持部材。
【請求項２】
保持孔に立設保持されたアンカーボルトの下端側に略籠型のアンカー部材が取り付けられることを特徴とする請求項１記載の保持部材。
【発明の詳細な説明】
【技術分野】
【０００１】
本発明は、立設物を地面側に固定したアンカーボルトを介して地面に立設固定する場合において、前記アンカーボルトを地面側に固定する基礎コンクリートを造成するときに該アンカーボルトを立設保持する保持部材に関する。
【背景技術】
【０００２】
従来、支柱やポールなどを地面に立設固定する場合、まず、支柱を立てる予定の地面を掘削し、この掘削部内に基礎コンクリートを造成する型枠を組み立て、この型枠内にアンカーボルトを垂直状に保持した状態でコンクリートを流し込んで基礎コンクリートを造成しアンカーボルトを固定する。
【０００３】
次いで、コンクリートが硬化した後、型枠を取り外し、掘削部の内面側と基礎コンクリートとの隙間を土砂やコンクリートで埋める。その後、基礎コンクリート上面より突出した状態でコンクリートによって固定されたアンカーボルトを介して支柱を立設固定するという手順で行われていた。
【０００４】
しかし、従来の工法では、アンカーボルトを介して支柱を立設固定する場合、支柱の傾斜角度を調節して垂直状に固定する必要から、基礎コンクリート造成後、該基礎コンクリート上には、支柱下端の取付プレートが当接する傾斜調整用のドームを造らなければならなかった。また、基礎コンクリートを造成する際に複数本のアンカーボルトを垂直状に保持させるため、コンクリート型枠内に鉄筋等でアンカーボルトを仮保持するための構造を組み立てる必要があり、その仮保持構造の組み立て作業には、多くの手間と時間とを要していた。特に狭小な型枠内の組み立て作業には、多くの手間と熟練を必要としていた。
【０００５】
そこで、上述の基礎コンクリートの造成作業、特には型枠の組み立てに要する手間と時間とを削減し、更にはアンカーボルトの仮保持構造を組み立て作業の簡便化を図るため、図８に示すようにプレキャストコンクリートブロック１を基礎コンクリート打設用の型枠として用いる工法が提案されている（特許文献１参照）。
【０００６】
この工法によれば、複数のアンカーボルト２は取付部３に立設保持され、該取付部３を金具や取付具を介してプレキャストコンクリートブロック１内に仮止めすることで、立設保持されるようになっていた。
【特許文献１】特開２０００−２３４３３９号公報
【発明の開示】
【発明が解決しようとする課題】
【０００７】
ところが、上述の工法にあっても、基礎コンクリートＸの造成後、該基礎コンクリートＸ上に支柱４下端の取付プレート５が当接する傾斜調整用のドーム６を造らなければならないという煩雑さは解消されなかった。特に基礎コンクリートＸ上にドーム６を造成した後、すぐに支柱４の固定作業を行うことはできず、ドーム６の養生、硬化を待たなければならず、その分余計な工期を要するという不具合があった。またこの工法にあっては、複数のアンカーボルト２を立設保持する取付部３をブロック１内に金具や取付具を介して仮止めしなければならず、アンカーボルト２を立設保持することは容易ではなかった。
【０００８】
本発明は、基礎コンクリートの造成後、該基礎コンクリート上に支柱下端の取付プレートが当接する傾斜調整用のドームを造る必要がなく、しかも立設物を地面側に固定したアンカーボルトを介して地面に立設固定する場合において、前記アンカーボルトを地面側に固定する基礎コンクリートを造成するときに該アンカーボルトを簡単かつ確実に立設保持することができる保持部材を提供することを目的とするものである。
【課題を解決するための手段】
【０００９】
上記目的を達成するため、請求項１記載の発明は、立設物を地面側に固定したアンカーボルトを介して地面に立設固定する場合において、前記アンカーボルトを地面側に固定する基礎コンクリートを造成するときに該アンカーボルトを立設保持する保持部材であって、
前記基礎コンクリートを造成する型枠上部開口を跨るように配置されるプレートからなり、
該プレートには、前記アンカーボルトを立設保持する保持孔が形成されると共に、中央に傾斜調整用のドームが形成されていることを特徴とする保持部材をその要旨とした。
【００１０】
請求項２記載の発明は、保持孔に保持されたアンカーボルトの下端側に略籠型のアンカー部材が取り付けられることを特徴とする請求項１記載の保持部材をその要旨とした。
【発明の効果】
【００１１】
本発明の保持部材にあっては、プレート中央に傾斜調整用のドームが形成されていることから、基礎コンクリートの造成後、該基礎コンクリート上に支柱下端の取付プレートが当接する傾斜調整用のドームを造る必要がないため、現場作業を簡略化し、かつドームを造る必要がない分、工期を短縮化することができる。
【００１２】
また本発明の保持部材は、基礎コンクリートを造成する型枠上部開口を跨るように配置するだけで、保持孔に立設保持されたアンカーボルトが型枠上に垂直状に保持されるため、該アンカーボルトを立設保持するための手間が要らず、即座に基礎コンクリートの造成作業を行うことができる。
【発明を実施するための最良の形態】
【００１３】
以下、本発明の保持部材を添付図面を参照して更に詳しく説明する。本発明の保持部材は、立設物を地面側に固定したアンカーボルトを介して地面に立設固定する場合において、前記アンカーボルトを地面側に固定する基礎コンクリートを造成するときに該アンカーボルトを垂直状に立設保持するものである。尚、この保持部材によって立設保持されるアンカーボルトを介して立設固定する立設物の範疇には、道路標識や街灯などの支柱やポールのほかに、家屋や工場の柱など、アンカーボルトを介して立設固定し得るあらゆるものが含まれる。図面に示す形態では道路標識の支柱２０を立設物として例示した。
【００１４】
図１〜図５に示すように、保持部材１５は、アンカーボルト１６を固定する基礎コンクリートＸを造成する型枠１１の上部開口を跨るように配置されるプレートからなる。図示の保持部材１５は、鉄製の方形状の板からなる。保持部材１５の材質としては、鉄、アルミ、ステンレスなどの金属のほか、ＡＢＳなどの強化プラスチックやＦＲＰなど、特に限定されず、その形状も方形の他に円盤状、三角状、半球状など任意である。
【００１５】
図１〜図３に示すように、保持部材１５には、間隔をおいてアンカーボルト１６を立設保持するための複数の保持孔１５ａが形成されている。図示の例では、方形のプレートの長さ方向に間隔をおいて４個の保持孔１５ａが二列並んで形成されている。そして、アンカーボルト１６は、図３に示すように保持孔１５ａを通して表裏に突出するように挿入され、アンカーボルト１６の上端が所定の高さ位置となるように高さ調整され、その後保持部材１５の表裏でナット１７により締め付け固定されるようになっている。また図３に示すように、保持部材１５に立設保持されたアンカーボルト１６の下端側には、該アンカーボルト１６をより安定に固定するための略籠型のアンカー部材１８が取り付けられるようになっている。尚、アンカーボルト１６の形状や長さ、或いはその設置構造には、何らの制限はなく、従来のアンカーボルトの配置形態であっても何ら支障はない。
【００１６】
また図１〜図３に示すように、保持部材１５の中央には、支柱２０を地面に対して垂直状に立設固定するための傾斜調整用のドーム１５ｂが形成されている。ドーム１５ｂは、該保持部材１５の成型時と同時にプレスなどで押し出して形成することができ、そのほか、ドーム状の部材を保持部材１５上に溶接や接着などの接合手段で接合することで形成することもできる。
【００１７】
上述の保持部材１５は、例えば図４に示すように、基礎コンクリートを造成する型枠１１の上部開口（コンクリートを打設する充填口）を跨るように配置することで、アンカーボルト１６が該型枠１１上に垂直状に立設保持されるようになっている。尚、本発明に保持部材を配置する型枠としては特に限定されず、従来の現場で掘削部内に組み立てられるコンクリート型枠であっても、図８に示すような基礎コンクリート打設用の型枠として採用されるプレキャストコンクリートブロックであってもよい。図１、図４〜図７に示す例では、保持部材１５が上部開口を跨るように配置される型枠１１として、底部枠１２と上部枠１４と前記底部枠１２と上部枠１４との間に配される少なくとも１つの中間枠１３とからなるものを用いた。以下、本発明の保持部材１５を図１及び図４〜図７に示す型枠１１に適用した例について説明する。
【００１８】
図１、図４及び図７に示す型枠１１は、底部枠１２と中間枠１３と上部枠１４とからなり、これら底部枠１２、中間枠１３及び上部枠１４を支柱２０を立てる予定地を掘削して形成された掘削部Ｇ内に順に積み上げることで構築される。
【００１９】
底部枠１２は、該型枠１１の底部を構成する四角状の枠であり、その枠を構成する各辺の内側面には連続した線状の突条１２ａが設けられている。また、底部枠１２下部外面には、外方に広がるようにアンカー部１２ｂが形成されている。図２及び図３に示すように、アンカー部１２ｂ上には掘削時に掘り出された土砂が埋め戻され、さらにその上面がコンクリートで固められるようになっている。このため、型枠１１は、底部枠１２のアンカー部１２ｂ上に埋め戻された土砂の重量で抑えられ、安定化されるようになっている。
【００２０】
中間枠１３は、該型枠１１の中間部を構成する四角状の枠であり、該型枠１１の高さ（深さ）に応じて、１個の場合から複数個の枠からなることもある。また、この中間枠１３を構成する各辺の内側面には、底部枠１２と同様に連続した線状の突条１３ａが設けられている。
【００２１】
上部枠１４は、該型枠１１の上部を構成する四角状の枠であり、上部枠１４を構成する各辺の内側面には、底部枠１２と同様に連続した線状の突条１４ａが設けられている。また、図１及び図２に示すように、上部枠１４の上面開口縁部には凹部１４ｂが設けられており、この凹部１４ｂ内に上述のアンカーボルト１６を垂直状に立設保持する保持部材１５の端部が収められてるようになっている。
【００２２】
尚、図示の例では、型枠を構成する底部枠、中間枠、及び上部枠の各内側面に設けた凸部及び又は凹部として、底部枠１２、中間枠１３、及び上部枠１４の各辺の内側面に設けた連続した線状の突条１２ａ、１３ａ、１４ａを例示したが、これに限らず、例えば底部枠１２、中間枠１３、及び上部枠１４の各辺の内側面に設けた連続した溝であってもよい。
【００２３】
また、型枠を構成する底部枠、中間枠、及び上部枠の各辺の内側面に突条と溝とを交互に複数設けててもよい。さらに、型枠を構成する底部枠、中間枠、及び上部枠の各枠内側面に所定間隔に多数の突起又は穴を設けてもよく、各枠内側面に所定間隔に多数の突起と穴とを交互に設けてもよい。さらに、底部枠、中間枠、及び上部枠の各辺の内側面に連続した突条または溝を設けると共に、同じく各枠内側面に所定間隔に多数の突起または穴を設けることもできる。このように、型枠を構成する底部枠、中間枠、及び上部枠の各内側面にどのような形状でどのような配置で凸部及び又は凹部を設けるかはまったく任意であり、立設物の大きさや形状、造成する基礎コンクリートの大きさなどを考慮して適宜決定すればよい。
【００２４】
図１、図４〜図７に示す型枠１１を構成する底部枠１２、中間枠１３、及び上部枠１４は、コンクリートブロック、プラスチック、ＦＲＰなどによって製造することができる。図示の例では、該型枠１１を構成する底部枠１２、中間枠１３、及び上部枠１４のいずれも、工場で前もって製造されたプレキャストコンクリートブロックを用いた。図示の例の場合、型枠１１を構成する底部枠１２、中間枠１３、及び上部枠１４に、工場で前もって製造されたプレキャストコンクリートブロックを採用していることから、運搬や施工現場への設置に手間がかからず、しかも安価で均質であるといったメリットがある。
【００２５】
次に、上述した型枠を用いてアンカーボルトを地面側に固定する基礎コンクリートを造成する過程について説明する。まず、図４に示すように、支柱２０を立てる予定地を掘削して掘削部Ｇを形成する。
【００２６】
次いで、図４及び図５に示すように、掘削部Ｇ内に型枠１１を組み立てる。型枠１１の組立ては、掘削部Ｇ内に底部枠１２を配置し、次いで、底部枠１２上に該型枠１１の高さ（深さ）に応じて、１個から複数個の中間枠１３を積み上げ、さらにこの中間枠１３上に上部枠１４を積み上げることで行う。
【００２７】
図４及び図５に示すように、底部枠１２、中間枠１３、上部枠１４の順に積み上げて、型枠１１を組み立てたとき、該型枠１１を構成する底部枠１２、中間枠１３、及び上部枠１４の内側面は、各枠内側面に設けた突条１２ａ、１３ａ、１４ａによってへこみ部分が形成される。
【００２８】
次いで、上部枠１４の上面開口縁部に設けた凹部１４ｂ内に保持部材１５の端部を収める。尚、保持部材１５を上部枠１４の上面開口縁部に設けた凹部１４ｂ内に収納するのに先立って、図１〜図３に示すように、該保持部材１５の間隔をおいて形成された複数の保持孔１５ａにそれぞれアンカーボルト１６を該保持部材１５の表裏に突出するように挿入し、アンカーボルト１６の上端が所定の高さ位置となるように高さ調整した上で、保持部材１５の表裏でナット１７により締め付け固定しておく。また、保持部材１５に保持されたアンカーボルト１６の下端側には、該アンカーボルト１６を安定に固定するための略籠型のアンカー部材１８を取り付けておく。そして、この保持部材１５の両端部を上部枠１４の上面開口縁部に設けた凹部１４ｂ内に収めることで、アンカーボルト１６は該型枠１１内の所定の位置に垂直状に立設保持されることになる。
【００２９】
次いで、図４及び図６に示すように、掘削部Ｇ内面と型枠１１との隙間に掘削時に掘り出された土砂を埋め戻し、その上面をコンクリートで固める。これにより、底部枠１２のアンカー部１２ｂ上には掘削時に掘り出された土砂が盛られ、型枠１１の底部枠１２は、埋め戻された土砂の重量で抑えられて安定化される。
【００３０】
次いで、図５及び図６に示すように、掘削部Ｇ内に組み立てられた型枠１１内にコンクリートＸを打設する。打設されたコンクリートは、上述の型枠１１内側面に形成されているへこみ部分に流れ込んで硬化するようになり、この結果、打設された型枠１１内の基礎コンクリートＸは一体物となってアンカーボルト１６を強固に固定するようになる。
【００３１】
この後、図７に示すように、基礎コンクリートＸによって地面側に固定されたアンカーボルト１６を介して支柱２０を立設固定する。支柱２０の下端には、複数の取付孔２１ａを設けた取付プレート２１が取り付けられている。この取付プレート２１の各取付孔２１ａにそれぞれアンカーボルト１６を挿入し、該アンカーボルト１６をナット２１ｂで締め付け固定するのである。
【００３２】
この際、保持部材１５の中央には傾斜調整用のドーム１５ｂが形成されており、支柱２０の取付プレート２１は、このドーム１５ｂの一点に当接し支持されることになる。作業者は、ドーム１５ｂ上に点で支持された支柱２０の傾斜角度を調整しつつ、支柱２０を垂直状に立設させ、この状態で前記アンカーボルト１６をナット２１ｂで締め付け固定するのである。
【００３３】
尚、本発明の保持部材は、上述の例に限定されるものではなく、例えば保持部材を優れた強度を有し、しかも軽量で取り扱い容易なＦＲＰで構成するなど、特許請求の範囲に記載された範囲内で自由に変更することができる。また本発明の保持部材は、道路標識や街灯などの支柱やポールのほかに、家屋や工場の柱など、アンカーボルトを介して立設固定し得るあらゆる用途に使用できる。
【図面の簡単な説明】
【００３４】
【図１】本発明の保持部材と、該保持部材を配置する型枠とを示す分解斜視図である。
【図２】本発明の保持部材を示す平面図及び側面図である。
【図３】同じく保持部材の正面図である。
【図４】本発明の保持部材を掘削部内に組み立てた型枠上に配置した状態を示す断面図である。
【図５】同じく拡大断面図である。
【図６】型枠内にコンクリートを流し込む状態を示す断面図である。
【図７】基礎コンクリートによって強固に保持されたアンカーボルトを介して支柱を立設固定した状態を示す断面図である。
【図８】プレキャストコンクリートブロックを型枠として用いて基礎コンクリートを造成するときに、アンカーボルトを立設保持する取付部を示す断面図である。
【符号の説明】
【００３５】
１１    ・・・型枠
１２    ・・・底部枠
１２ａ  ・・・突条
１２ｂ  ・・・アンカー部
１３    ・・・中間枠
１３ａ  ・・・突条
１４    ・・・上部枠
１４ａ  ・・・突条
１４ｂ  ・・・凹部
１５    ・・・保持部材
１５ａ  ・・・保持孔
１５ｂ  ・・・傾斜調整用のドーム
１６    ・・・アンカーボルト
Ｇ      ・・・掘削部
Ｘ      ・・・基礎コンクリート
【図１】
2008190164.tif 000003
【図２】
2008190164.tif 000004
【図３】
2008190164.tif 000005
【図４】
2008190164.tif 000006
【図５】
2008190164.tif 000007
【図６】
2008190164.tif 000008
【図７】
2008190164.tif 000009
【図８】
2008190164.tif 000010